(57)【要約】【課題】犬を連れて散歩するとき携帯しても恰好よく、糞を衛生的に複数回収集できる携帯用収集器を提供することにある。【解決手段】汚物が載せられる収集部と把手を備えた平塵取と、汚物が収納できる収納部と把手を備えた箱塵取と、上部は２枚重ね部、下部は袋部を備えた汚物収集袋から構成される収集器であって、汚物収集袋は、袋部を収納部に収納された状態で、収納口からはみ出した２枚重ね部外側に、袋開口部を挟んで、平塵取表面と箱塵取収納口を相対して取り付けて成る携帯用収集器である。また、収集部で収納部収納口を閉鎖することのできる携帯用収集器である。【選択図】　　　　　　　　　図２
2004024085.tif 000002
【特許請求の範囲】
【請求項１】
汚物が載せられる収集部と把手を備えた平塵取と、汚物が収納できる収納部と把手を備えた箱塵取と、上部が２枚重ね部、下部が袋部を備えた汚物収集袋から構成される収集器に於いて、袋部を収納部に収納した状態で、収納口よりはみ出した２枚重ね部外側に、袋開口部を挟んで平塵取の表面と箱塵取の収納口が相対して取り付けて成る携帯用収集器。
【請求項２】
収納部の収納口を平塵取で閉鎖して成る請求項１の携帯用収集器。
【請求項３】
収集部を収納部上面の収納口延長上に位置して成る請求項１，２の携帯用収集器。
【請求項４】
箱塵取の把手を回動して成る請求項１，２、３の携帯用収集器。
【請求項５】
箱塵取が、肉抜きデザインで成る請求項１、２の携帯用収集器。
【発明の詳細な説明】
【０００１】
【発明の属する技術分野】本発明は、犬を連れて散歩するとき携帯しても恰好よく、衛生的に複数回収集できる収集器に関する。
【０００２】
【従来の技術】従来、犬を散歩する時には、犬の糞を路上に放置するのは衛生的に好ましくなくないため、飼主はその糞を紙やビニール袋で掬い取って袋の中に入れて家に持ち帰った後にこれを廃棄するようにしている。この種の機器としては、虫取り器の網の替わりにビニール袋をつけたペット用糞尿収容器具（例えば特開平８−８４５４２号公報参照、以下、従来例Ａという）や、塵取とこれに用いる汚物収納袋（例えば特開平７−３１３４２３号公報参照、以下、従来例Ｂという）も考案されていた。
【０００３】
【発明が解決しようとする課題】ところでこの種の容器は、犬を連れて散歩するとき携帯しても恰好よく、糞を衛生的に複数回収集できる収集器を提供することにある。
【０００４】しかるに従来例Ａは、先端のビニール袋で事後の糞を直接収集する仕組みであったので路上の糞を収集するためにはビニール袋を介して手で掴んで収集しなければ成らず不衛生で、しかも、複数回の収集ができない欠点があった。また、虫取り器の長い棒を持って散歩しなければならないので恰好もよくなかった。
【０００５】従来例Ｂの場合は、塵取に汚物収集袋が取り付けてあるので、事後の糞の複数回収集ができない欠点があった。また、路上の糞収集できない欠点もあった。更には、汚物収集袋が付いた塵取を持って散歩しなければならないので恰好もよくなかった。
【０００６】
【課題を解決するための手段】汚物が載せられる収集部と把手を備えた平塵取と、汚物が収納できる収納部と把手を備えた箱塵取と、上部が２枚重ね部、下部が袋部を備えた汚物収集袋から構成される収集器に於いて、袋部を収納部に収納した状態で、収納口よりはみ出した２枚重ね部外側に、袋開口部を挟んで平塵取表面と箱塵取収納口が相対して取り付けて成る携帯用収集器である。
【０００７】収納部の収納口を平塵取で閉鎖して成る携帯用収集器である。
【０００８】平塵取を収納部上面の収納口延長上に位置して成る携帯用収集器である。
【０００９】箱塵取の把手が回動して成る携帯用収集器である。
【００１０】収納部は肉抜きデザインで成る携帯用収集器である。
【００１１】この構成により、携帯用収集器は、袋開口部を挟んで平塵取表面と箱塵取収納口が相対して取り付けられているので、把手を持って路上の糞を袋開口部で覆い、箱塵取を固定し、平塵取を箒で掃くように動かして糞を袋部に収めると同時に収納部に収納する。この操作を繰り返すことにより汚物収集袋が一杯になるまで複数回の糞収集ができる。
【００１２】箱塵取、平塵取は、汚物収集袋の外側に取り付けられ、糞を汚物収集袋の内側で覆い、汚物収集袋の外側から収集操作を行うので、糞が直接付くことがない。また、平塵取、箱塵取の取付手段によって着脱自在に汚物収集袋を取り付け、取り外しができるので、衛生的である。
【００１３】収納部の収納口を平塵取で閉鎖できるので、収集後、糞を分散することなく携帯することができる。また、収集部を収納部上面の収納口延長上に固定できるので、平塵取の表面を上にして、犬のお尻の下にセットすると事後の糞が袋開口部を介して収集部に蓄積される。蓄積後、把手を持って収納部収納口を上向きにすると糞は、袋部に入ると同時に収納部に収納される。把手は回動することができるので糞収集時、邪魔に成らないところに回動させて簡単に糞を収集する。
【００１４】収集された糞は、収納部の中の袋部に収納されているので、肉抜きデザインを収納部に採用しても糞が落ちることもなく、軽量で格好いい携帯用収集器を提供できる。
【００１５】
【発明の実施の形態】汚物収集袋３と、平塵取１、箱塵取２から構成される本発明の形態を図１に示す。平塵取１は後方に突出する把手１２と、汚物が載せられる収集部１３から構成されている。収集部１３は、収納部２３収納口と略同形状で、糞収集をし易くするために中央部に窪み１９を設け、前後方向に対して外周部１６に至るテーパー面１８を形成し、前方両側面には汚物収集袋３の取付手段である突起１４を備えている。また、収集部１３両側面には爪部１５を、把手には丸穴と長穴で構成された鍵穴１７を備えている。
【００１６】箱塵取２は、箱型の一面に収納口を備えた収納部２３と、その側面の収納口近傍に回動基点４５を持つ把手２２から構成されている。収納部２３側面には汚物収集袋３の取付手段である突起２４を備えている。また、収納部２３側面には爪部１５に対応する穴部２５を、収納部２３上面には鍵穴１７に対応する溝付円柱２６を備えている。把手２２は回動基点４５を基点として、上面、収納口、底面方向に９０度毎の位置決め回動の機構を有している。収納部４３側面の回動基点４５近傍に９０度間隔の３個所の凸部４７を、把手２２には凸部４７に対応する丸穴４８を備えている。
【００１７】図１に示すように、透明の汚物収集袋３は、袋部３２が収納部２３に収納された状態で、収納口よりはみ出した２枚重ね部３１外側に、収集部１３表面と収納部２３収納口の間に下向き袋開口部３３を挟んで、収集部１３と収納部２３の底面を位置させて、取付手段である突起１４，２４に折り曲げて取り付けられている。
【００１８】路上の糞収集時は、図１の状態で、把手１２，２２を持って路上の糞を袋開口部３３で覆い、収納部２３を固定し、平塵取１を箒で掃くようにして糞を袋部３２に収めながら収納部２３に収納する。収集部１３は、前方から後方にかけてテーパー面１８を設けているので平塵取１の操作角度の自由度が広くなる。この操作を繰り返すことにより汚物収集袋３が一杯になるまで複数回の糞収集ができる。袋部３２と収納部２３の容積は同容積に構成すると糞収集量に無駄が無く理想である。
【００１９】汚物収集袋３は収集部１３、収納部２３の底面、側面を被覆している。糞を袋開口部３３で覆い、袋の外側から平塵取１、箱塵取２を収集操作して袋部３２に入れると同時に収納部２３に収納するので、直接糞が付くことなく、衛生的に糞を収集できる。
【００２０】袋部３２を収納部２３に収納した状態で、収納部２３収納口を収集部１３で閉鎖し、把手２２を収納口方向に回動した状態の本発明の形態を図２に示す。平塵取１は爪部１５を備え、収納部２３には爪部１５に対応する穴部２５を備えているので、爪部１５と穴部２５を嵌め合せる事により、収納部２３収納口を収集部１３で定位置に閉鎖する事ができる。把手２２を９０度回動し収納口方向に位置させて携帯すると、糞の分散もなく衛生的な携帯用収集器を提供できる。
【００２１】収集部１３を収納部２３上面の収納口延長上に固定し、把手２２を９０度回動した本発明の形態を図３に示す。図３の平塵取１と箱塵取２の結合状態の部分図を図４に示す。収納部２３上面には溝付円柱２６を備えている。平塵取１の把手１２には溝付円柱２６に対応する鍵穴１７が設けられている。鍵穴１７の丸穴に溝付円柱２６を通し、前方に押し出し、鍵穴１７の長穴に溝付円柱２６を位置させると図４のように、収集部１３が収納部２３上面の収納口延長上に固定されて、汚物収集袋３の開口部３３は図３のように開口状態に維持される。
【００２２】図３の状態で、犬のお尻の下にセットすると事後の糞は汚物収集袋３を介して収集部１３に蓄積される。把手２２を持って収納部２３の収納口を上向きにすると糞は、袋部３２に収集されると同時に収納部２３に収納される。収集部１３は、前後方向に対して外周部１６に至るテーパー面１８を形成しているので、蓄積された糞を収集部１３から収納部２３にスムーズに移行できる。この操作を繰り返すことにより汚物収集袋３が一杯になるまで複数回の糞収集が衛生的に行うことができる。
【００２３】袋部３２に糞を収集するので収集部１３、収納部２３は、肉抜きをして軽量で格好いいデザインの携帯用収集器を提案する。
【００２４】路上の糞の処置、事後の糞の処置と使用目的を明確にすると箱塵取２の把手２２は回動する必要が無く一体成形することができ、低価格の携帯用収集器を提案することができる。
【００２５】箱塵取は樹脂の成型品を用いるがアルミ鋳造で形成しても良い。また、別体の把手には、ひもやバンドを使用しても良い。
【００２６】袋素材はビニール、布、紙等袋を形成するものであれば何でも良い。水洗で流せる素材であれば収集後取り外して袋のまま流せるので衛生的でよい。
【００２７】平塵取は、箱塵取より収納深さが浅いものをいい、収納深さのない平らな形状でもよい。
【００２８】なお、本発明は、上記実施例に限定されるものではない。
【００２９】
【発明の効果】以上説明したように本発明は、犬を連れて散歩するとき携帯しても恰好よく、糞を衛生的に複数回収集できる携帯用収集器を提供する。
【図面の簡単な説明】
【図１】本発明の構成図で、袋部を収納部に収納された状態で、収納口よりはみ出した２枚重ね部外側に、袋開口部を挟んで平塵取表面と箱塵取収納口を相対して取り付けた形態の投影図である。
【図２】本発明の構成図で、汚物収集袋が収納部に収納された状態で、平塵取で収納部収納口を閉鎖した形態の投影図である。
【図３】本発明の構成図で、汚物収集袋が収納部に収納された状態で、平塵取を収納部上面収納口延長上に固定した形態の投影図である。
【図４】本発明の平塵取を収納部上面収納口延長上に固定した機構の投影図である。
【符号の説明】
１　　平塵取
２　　箱塵取
３　　汚物収集袋
１２　把手
１３　収集部
１４　突起
１５　爪部
１６　外周部
１７　鍵穴
１８　テーパー面
１９　窪み
２２　把手
２３　収納部
２４　突起
２５　穴部
２６　溝付円柱
３１　２枚重ね部
３２　袋部
３３　開口部
４５　回動基点
４６　凸部
４８　丸穴
【図１】
2004024085.tif 000003
【図２】
2004024085.tif 000004
【図３】
2004024085.tif 000005
【図４】
2004024085.tif 000006